(57)【要約】【課題】操作性のよい表示操作装置を提供する。【解決手段】電子化されたドキュメントデータの表示内容を次のページに移動させるときには（Ｓ００４）、次のページに１つ以上の特定領域が存在するかどうかを判断し（Ｓ００５）、特定領域が存在しなければ、拡大表示を行なう場所である変更内容表示領域を閉じる（非表示とする）（Ｓ００６）。特定領域が存在すれば、変更内容表示領域を閉じることなく、ドキュメントデータの表示を更新し、変更内容表示領域の表示内容を、変更後のページに含まれる最初の特定領域の内容に更新する。【選択図】        図５
2004362389.tif 000002
【特許請求の範囲】
【請求項１】
電子化されたドキュメントデータを記憶する記憶手段と、
前記記憶手段に記憶されたドキュメントデータを表示する表示手段と、
前記表示手段に表示されたドキュメントデータの中の特定領域を指示する指示手段と、
前記指示手段で指示された特定領域のドキュメントデータの内容を変更する内容変更処理手段と、
前記内容変更処理手段によって変更された内容を保存する、変更内容保存手段と、
前記内容変更処理手段によって変更されたドキュメントデータの内容を表示する変更内容表示領域を有する変更内容表示手段と、
前記表示手段に表示されたドキュメントデータの内容を更新する際に、前記変更内容表示領域に内容を表示することができるか否かを判定する判定手段と、
前記変更内容表示領域を表示した状態で、前記表示手段に表示されたドキュメントデータの内容を更新する表示画面制御手段とを備えた、表示操作装置。
【請求項２】
前記特定領域は複数存在し、
前記ドキュメントデータは、前記複数の特定領域にあらかじめ定められた順序で対応付けられており、１個以上の特定領域と前記変更内容表示領域とが１つの表示画面上に表示されることを特徴とする、請求項１に記載の表示操作装置。
【請求項３】
前記表示画面制御手段は、表示画面中のドキュメントデータの内容を特定の単位で順方向に更新する際、当該ドキュメントデータの表示内容に特定領域が存在すれば、前記変更内容表示領域の表示内容を、当該ドキュメントデータの表示内容の中の最初の特定領域の内容に更新することを特徴とする、請求項１または２に記載の表示操作装置。
【請求項４】
前記表示画面制御手段は、表示画面中のドキュメントデータの内容を特定の単位で逆方向に更新する際、当該ドキュメントデータの表示内容に特定領域が存在すれば、前記変更内容表示領域の表示内容を、当該ドキュメントデータの表示内容の中の最後の特定領域の内容に更新することを特徴とする、請求項１または２に記載の表示操作装置。
【請求項５】
前記判定手段により、表示画面中の１つ以上の特定領域の存否を確認することで、前記変更内容表示領域に内容を表示できるか否かを判定することを特徴とする、請求項１〜４のいずれかに記載の表示操作装置。
【請求項６】
前記表示画面制御手段は、表示画面中のドキュメントデータの内容を特定の単位で更新した際に、当該ドキュメントデータ中に特定領域が存在しない場合には、表示されていた変更内容表示領域を閉じるように制御することを特徴とする、請求項１〜５のいずれかに記載の表示操作装置。
【請求項７】
変更内容表示領域が閉じられたあと、表示画面のドキュメントデータの内容を特定の単位で更新する際に、当該ドキュメントデータの内容に特定領域が存在すれば、再度変更内容表示領域に、対応するドキュメントデータを表示することを特徴とする、請求項６に記載の表示操作装置。
【請求項８】
電子化されたドキュメントデータを記憶する記憶ステップと、
前記記憶ステップで記憶されたドキュメントデータを表示する表示ステップと、
前記表示ステップで表示されたドキュメントデータの中の特定領域を指示する指示ステップと、
前記指示ステップで指示された特定領域のドキュメントデータの内容を変更する内容変更処理ステップと、
前記内容変更処理ステップによって変更された内容を保存する、変更内容保存ステップと、
前記内容変更処理ステップによって変更されたドキュメントデータの内容を、変更内容表示領域に表示する変更内容表示ステップと、
前記表示ステップで表示されたドキュメントデータの内容を更新する際に、前記変更内容表示領域に内容を表示することができるか否かを判定する判定ステップと、
前記変更内容表示領域を表示した状態で、前記表示ステップで表示されたドキュメントデータの内容を更新する表示画面制御ステップとを備えた、表示操作方法。
【請求項９】
電子化されたドキュメントデータを記憶する記憶ステップと、
前記記憶ステップで記憶されたドキュメントデータを表示する表示ステップと、
前記表示ステップで表示されたドキュメントデータの中の特定領域を指示する指示ステップと、
前記指示ステップで指示された特定領域のドキュメントデータの内容を変更する内容変更処理ステップと、
前記内容変更処理ステップによって変更された内容を保存する、変更内容保存ステップと、
前記内容変更処理ステップによって変更されたドキュメントデータの内容を、変更内容表示領域に表示する変更内容表示ステップと、
前記表示ステップで表示されたドキュメントデータの内容を更新する際に、前記変更内容表示領域に内容を表示することができるか否かを判定する判定ステップと、
前記変更内容表示領域を表示した状態で、前記表示ステップで表示されたドキュメントデータの内容を更新する表示画面制御ステップとをコンピュータに実行させる、表示操作プログラム。
【請求項１０】
電子化されたドキュメントデータを記憶する記憶ステップと、
前記記憶ステップで記憶されたドキュメントデータを表示する表示ステップと、
前記表示ステップで表示されたドキュメントデータの中の特定領域を指示する指示ステップと、
前記指示ステップで指示された特定領域のドキュメントデータの内容を変更する内容変更処理ステップと、
前記内容変更処理ステップによって変更された内容を保存する、変更内容保存ステップと、
前記内容変更処理ステップによって変更されたドキュメントデータの内容を、変更内容表示領域に表示する変更内容表示ステップと、
前記表示ステップで表示されたドキュメントデータの内容を更新する際に、前記変更内容表示領域に内容を表示することができるか否かを判定する判定ステップと、
前記変更内容表示領域を表示した状態で、前記表示ステップで表示されたドキュメントデータの内容を更新する表示画面制御ステップとをコンピュータに実行させる、表示操作プログラムを記録したコンピュータ読取可能な記録媒体。
【請求項１１】
複数の特定領域に順序がつけられた状態で複数ページ存在する、電子的にコード化された文字情報および／または画像情報である電子書籍コンテンツを表示する表示手段と、
拡大、表示および表示内容の変更の少なくとも１つの操作を行う入力手段と、
前記入力手段の操作に基づいて、拡大、縮小および表示内容の変更の少なくとも１つを行う処理手段とを備え、
電子書籍コンテンツの拡大された特定領域の表示内容を更新する際に、拡大表示を解除せずに、ページをめくることができることを特徴とする、表示操作装置。
【請求項１２】
部分的に拡大表示された電子書籍コンテンツの表示内容を次ページまたはそれ以降のページに更新する際に、当該ページに特定領域が存在すれば、拡大領域の内容を、当該ページの最初の特定領域に更新する、請求項１１に記載の表示操作装置。
【請求項１３】
部分的に拡大表示された電子書籍コンテンツの表示内容を前ページまたはそれ以前のページに更新する際に、当該ページに特定領域が存在すれば、拡大領域の内容を、当該ページの最後の特定領域に更新する、請求項１１の表示操作装置。
【請求項１４】
部分的に拡大表示された電子書籍コンテンツの表示内容を他ページに更新する際に、当該ページに特定領域が存在しなければ、表示されていた拡大領域を閉じ、書籍コンテンツの表示内容を、当該ページに更新する、請求項１２または１３に記載の表示操作装置。
【請求項１５】
自動的に拡大領域が閉じられたあと、書籍コンテンツの表示内容を次ページまたはそれ以降のページに、または、前ページまたはそれ以前のページに更新する際に、当該ページに特定領域が存在すれば、再度拡大領域を表示し、拡大領域の内容を、当該ページの最初または最後の特定領域に更新する、請求項１４に記載の表示操作装置。
【請求項１６】
表示画面中の１つ以上の特定領域の存否を確認することで、拡大領域に内容を表示できるか否かを判定する判定手段をさらに備えた、請求項１１〜１５のいずれかに記載の表示操作装置。
【発明の詳細な説明】
【０００１】
【発明の属する技術分野】
本発明は、ユーザが表示された文書などを読む際の補助を行なう表示操作装置、表示操作方法、表示操作プログラム、および表示操作プログラムを記録したコンピュータ読取可能な記録媒に関し、特に電子化されたドキュメントデータ、文字情報、画像情報の表示を行なうための表示操作装置、表示操作方法、表示操作プログラム、および表示操作プログラムを記録したコンピュータ読取可能な記録媒に関する。
【０００２】
【従来の技術】
電子化されたドキュメントデータをユーザに対して提示する際に、表示装置に文字や画像を表示させ、ユーザはそれを視認しながら、読むことが一般的である。そのため、表示装置に表示された内容を拡大して見やすくする技術が必要とされる場合がある。特に、高齢者や弱視者が表示装置に表示された文字や画像を読む場合には、衰えた視力を補助するために、文字や画像を拡大表示することが強く要請される。表示画面の領域を指定して部分的に拡大することに関し、以下のような特許文献１および２が存在する。
【０００３】
これらの文献においては、特定の領域を別Ｗｉｎｄｏｗに拡大表示し、視力を補助して文字や画像を読みやすくする技術が開示されている。
【０００４】
【特許文献１】
特開平１１−１８４５９４号公報
【０００５】
【特許文献２】
特開２００１−１８４３４４号公報
【０００６】
【発明が解決しようとする課題】
従来の技術は文書を読む際に、表示されている画面上で効果を発揮する。しかしながら、ページを移動する際には一旦拡大表示を解除し、ページを移動した後、必要であれば再度拡大表示を実施するという手間を踏む必要がある。従って、従来技術においては、表示変更に対するユーザの操作性が悪いという問題点があった。
【０００７】
この発明は上記問題点を解決するためになされたものであり、操作性のよい表示操作装置などを提供することを目的としている。
【０００８】
【課題を解決するための手段】
上記目的を達成するためこの発明のある局面に従うと、表示操作装置は、電子化されたドキュメントデータを記憶する記憶手段と、記憶手段に記憶されたドキュメントデータを表示する表示手段と、表示手段に表示されたドキュメントデータの中の特定領域を指示する指示手段と、指示手段で指示された特定領域のドキュメントデータの内容を変更する内容変更処理手段と、内容変更処理手段によって変更された内容を保存する、変更内容保存手段と、内容変更処理手段によって変更されたドキュメントデータの内容を表示する変更内容表示領域を有する変更内容表示手段と、表示手段に表示されたドキュメントデータの内容を更新する際に、変更内容表示領域に内容を表示することができるか否かを判定する判定手段と、変更内容表示領域を表示した状態で、表示手段に表示されたドキュメントデータの内容を更新する表示画面制御手段とを備える。
【０００９】
好ましくは特定領域は複数存在し、ドキュメントデータは、複数の特定領域にあらかじめ定められた順序で対応付けられており、１個以上の特定領域と変更内容表示領域とが１つの表示画面上に表示されることを特徴とする。
【００１０】
好ましくは表示画面制御手段は、表示画面中のドキュメントデータの内容を特定の単位で順方向に更新する際、当該ドキュメントデータの表示内容に特定領域が存在すれば、変更内容表示領域の表示内容を、当該ドキュメントデータの表示内容の中の最初の特定領域の内容に更新することを特徴とする。
【００１１】
好ましくは表示画面制御手段は、表示画面中のドキュメントデータの内容を特定の単位で逆方向に更新する際、当該ドキュメントデータの表示内容に特定領域が存在すれば、変更内容表示領域の表示内容を、当該ドキュメントデータの表示内容の中の最後の特定領域の内容に更新することを特徴とする。
【００１２】
好ましくは表示操作装置は、判定手段により、表示画面中の１つ以上の特定領域の存否を確認することで、変更内容表示領域に内容を表示できるか否かを判定することを特徴とする。
【００１３】
好ましくは表示画面制御手段は、表示画面中のドキュメントデータの内容を特定の単位で更新した際に、当該ドキュメントデータ中に特定領域が存在しない場合には、表示されていた変更内容表示領域を閉じるように制御することを特徴とする。
【００１４】
好ましくは表示操作装置は、変更内容表示領域が閉じられたあと、表示画面のドキュメントデータの内容を特定の単位で更新する際に、当該ドキュメントデータの内容に特定領域が存在すれば、再度変更内容表示領域に、対応するドキュメントデータを表示することを特徴とする。
【００１５】
この発明の他の局面に従うと、表示操作方法は、電子化されたドキュメントデータを記憶する記憶ステップと、記憶ステップで記憶されたドキュメントデータを表示する表示ステップと、表示ステップで表示されたドキュメントデータの中の特定領域を指示する指示ステップと、指示ステップで指示された特定領域のドキュメントデータの内容を変更する内容変更処理ステップと、内容変更処理ステップによって変更された内容を保存する、変更内容保存ステップと、内容変更処理ステップによって変更されたドキュメントデータの内容を、変更内容表示領域に表示する変更内容表示ステップと、表示ステップで表示されたドキュメントデータの内容を更新する際に、変更内容表示領域に内容を表示することができるか否かを判定する判定ステップと、変更内容表示領域を表示した状態で、表示ステップで表示されたドキュメントデータの内容を更新する表示画面制御ステップとを備える。
【００１６】
この発明の他の局面に従うと、表示操作プログラムは、電子化されたドキュメントデータを記憶する記憶ステップと、記憶ステップで記憶されたドキュメントデータを表示する表示ステップと、表示ステップで表示されたドキュメントデータの中の特定領域を指示する指示ステップと、指示ステップで指示された特定領域のドキュメントデータの内容を変更する内容変更処理ステップと、内容変更処理ステップによって変更された内容を保存する、変更内容保存ステップと、内容変更処理ステップによって変更されたドキュメントデータの内容を、変更内容表示領域に表示する変更内容表示ステップと、表示ステップで表示されたドキュメントデータの内容を更新する際に、変更内容表示領域に内容を表示することができるか否かを判定する判定ステップと、変更内容表示領域を表示した状態で、表示ステップで表示されたドキュメントデータの内容を更新する表示画面制御ステップとをコンピュータに実行させる。
【００１７】
この発明の他の局面に従うと、表示操作プログラムを記録したコンピュータ読取可能な記憶媒体は、電子化されたドキュメントデータを記憶する記憶ステップと、記憶ステップで記憶されたドキュメントデータを表示する表示ステップと、表示ステップで表示されたドキュメントデータの中の特定領域を指示する指示ステップと、指示ステップで指示された特定領域のドキュメントデータの内容を変更する内容変更処理ステップと、内容変更処理ステップによって変更された内容を保存する、変更内容保存ステップと、内容変更処理ステップによって変更されたドキュメントデータの内容を、変更内容表示領域に表示する変更内容表示ステップと、表示ステップで表示されたドキュメントデータの内容を更新する際に、変更内容表示領域に内容を表示することができるか否かを判定する判定ステップと、変更内容表示領域を表示した状態で、表示ステップで表示されたドキュメントデータの内容を更新する表示画面制御ステップとをコンピュータに実行させる、表示操作プログラムを記録する。
【００１８】
この発明の他の局面に従うと、表示操作装置は、複数の特定領域に順序がつけられた状態で複数ページ存在する、電子的にコード化された文字情報および／または画像情報である電子書籍コンテンツを表示する表示手段と、拡大、表示および表示内容の変更の少なくとも１つの操作を行う入力手段と、入力手段の操作に基づいて、拡大、縮小および表示内容の変更の少なくとも１つを行う処理手段とを備え、電子書籍コンテンツの拡大された特定領域の表示内容を更新する際に、拡大表示を解除せずに、ページをめくることができることを特徴とする。
【００１９】
好ましくは表示操作装置は、部分的に拡大表示された電子書籍コンテンツの表示内容を次ページまたはそれ以降のページに更新する際に、当該ページに特定領域が存在すれば、拡大領域の内容を、当該ページの最初の特定領域に更新する。
【００２０】
好ましくは表示操作装置は、部分的に拡大表示された電子書籍コンテンツの表示内容を前ページまたはそれ以前のページに更新する際に、当該ページに特定領域が存在すれば、拡大領域の内容を、当該ページの最後の特定領域に更新する。
【００２１】
好ましくは表示操作装置は、部分的に拡大表示された電子書籍コンテンツの表示内容を他ページに更新する際に、当該ページに特定領域が存在しなければ、表示されていた拡大領域を閉じ、書籍コンテンツの表示内容を、当該ページに更新する。
【００２２】
好ましくは表示操作装置は、自動的に拡大領域が閉じられたあと、書籍コンテンツの表示内容を次ページまたはそれ以降のページに、または、前ページまたはそれ以前のページに更新する際に、当該ページに特定領域が存在すれば、再度拡大領域を表示し、拡大領域の内容を、当該ページの最初または最後の特定領域に更新する。
【００２３】
好ましくは表示操作装置は、表示画面中の１つ以上の特定領域の存否を確認することで、拡大領域に内容を表示できるか否かを判定する判定手段をさらに備える。
【００２４】
【発明の実施の形態】
以下に、添付図面を参照しながら、本発明の好ましい実施の形態について説明する。
【００２５】
［第１の実施の形態］
図１は、本発明の第１の実施の形態における文書の表示制御機能を備えた表示操作装置の構成を示すブロック図である。
【００２６】
図を参照して、表示操作装置は、記憶部１と、判定部２と、内容変更処理部３と、表示画面制御部４と、表示部５と、指示部（または入力部）６とを備えている。
【００２７】
記憶部１は、電子化された文字情報および／または画像情報を含むドキュメントデータ（または電子書籍コンテンツ）を記憶しており、ディスクドライブなど（ＨＤＤ，ＦＤＤなど）により構成される。表示部５はドキュメントデータを表示する装置であり、ディスプレイ（ＣＲＴ，ＬＣＤなど）により構成される。判定部２は、表示部５に表示されるドキュメントデータが１個以上の特定領域を持っているかどうかにより、変更内容表示領域を表示部５に表示するか否かを判定するユニットである。
【００２８】
内容変更処理部３は、特定領域の表示をあらかじめ定められた順序で変更する際の処理を行う。指示部６は内容変更処理部３に変更の指示を行うためのユーザインタフェースであり、入力装置（マウス、キーボードなど）により構成される。
【００２９】
表示画面制御部４は、表示部５に表示された内容の更新、変更内容表示領域の表示内容の更新、および変更内容表示領域の表示／消去の処理を行うユニットであり、中央処理演算装置（ＣＰＵ）などにより構成される。
【００３０】
以下に、表示部５の表示画面の具体例について説明する。
図２は、１つ以上の特定領域を持ったドキュメントデータの所定のページを表示部５に表示した例を示す図である。
【００３１】
図を参照して、ドキュメントデータの当該ページには、複数（ここでは１２個）の特定領域が含まれるものとする。特定領域の拡大などの表示を行なわない場合には、図２に示されるように、ドキュメントデータの所定のページがそのまま表示される。
【００３２】
図３は、表示部５に表示された特定領域の内、最初の１つの特定領域を変更内容表示領域７に表示した例を示す図である。
【００３３】
図に示されるように、表示部５にはドキュメントデータの所定のページの内容が表示され、その中央部に、ドキュメントデータの表示に重ねて、変更内容表示領域７が表示されている。変更内容表示領域７には、表示されているドキュメントデータのページ内に含まれる１つの特定領域の内容を拡大（または縮小、内容変更）したものが表示される。
【００３４】
特定領域には表示の順序が決められており（図中では数字でその順を示している。）、ここでは、表示されているドキュメントデータのページ内に含まれる最初の１つの特定領域が変更内容表示領域７に表示されている。ユーザは、指示部６を操作することにより、変更内容表示領域７に表示される特定領域を切換ることができる。
【００３５】
図４は、表示部５に表示された特定領域の内、最後の１つの特定領域を変更内容表示領域７に表示した例を示す図である。
【００３６】
ここでは、表示されているドキュメントデータのページ内に含まれる最後の１つの特定領域が変更内容表示領域７に表示されている。
【００３７】
図５は、表示操作装置が行なう処理について説明するフローチャートである。図を参照して、記憶部１に記憶された電子化されたドキュメントデータの所定のページを表示部５に表示した状態（例えば図２）で、表示されたドキュメントデータのページ内に１つ以上の特定領域が存在すれば（ステップＳ００１でＹＥＳ）、変更内容表示領域７を表示し、指示部６から指示された特定領域を変更内容表示領域７に表示する（ステップＳ００２）。これにより例えば、図３のような表示が表示部５で行なわれる。
【００３８】
特定領域が存在しなければ、指示部６から指示されても変更内容表示領域を表示しない（ステップＳ００３）。
【００３９】
変更内容表示領域７が表示された状態で、ドキュメントデータの表示内容を次の単位（例えば次のページ）に移動させるときには（ステップＳ００４）、次の単位に１つ以上の特定領域が存在するかどうかを判定部２が判断して（ステップＳ００５）、特定領域が存在しなければ変更内容表示領域７を閉じる（非表示とする）（ステップＳ００６）。これにより例えば、図２のような表示が表示部５で行なわれる。特定領域が存在すれば、変更内容表示領域７を閉じることなく、表示部５に表示されているドキュメントデータの表示を更新し、変更内容表示領域７の表示内容を、変更後の単位に含まれる最初の特定領域の内容に更新する。これにより例えば、図３のような表示が表示部５で行なわれる。
【００４０】
同様に、変更内容表示領域７が表示された状態で、ドキュメントデータの表示内容を前の単位（例えば前のページ）に移動させるときには（ステップＳ００４）、前の単位に１つ以上の特定領域が存在するかどうかを判定部２が判断して（ステップＳ００５）、特定領域が存在しなければ変更内容表示領域７を閉じる。これにより例えば、図２のような表示が表示部５で行なわれる。特定領域が存在すれば、変更内容表示領域７を閉じることなく、表示部５に表示されているドキュメントデータの表示を更新し、変更内容表示領域７の表示内容を、変更後の単位に含まれる最後の特定領域の内容に更新する。これにより例えば、図４のような表示が表示部５で行なわれる。
【００４１】
変更内容表示領域７を閉じた後、さらに別のページに移動した際（ステップＳ００４）、そこに１つ以上の特定領域が存在すれば（ステップＳ００５でＹＥＳ）、変更内容表示領域７を再度表示し、さらに表示部５に表示されているドキュメントデータの表示を更新し、変更内容表示領域７の表示内容を変更後の特定領域の内容に更新する（ページを進める向きによって、図３（ページを進めた場合）または図４（ページを戻した場合）のようになる）。
【００４２】
図６は、図５のステップＳ００７での処理を示す図である。
図を参照して、表示単位の更新が逆方向の更新であるか（例えばページを戻す方向であるか）が判断される。ＮＯであれば、ステップＳ１０３で、更新後のドキュメントデータ内の最初の特定領域の内容を変更内容表示領域７に表示する内容とする。
【００４３】
一方、ステップＳ１０１でＹＥＳであれば、ステップＳ１０５で、更新後のドキュメントデータ内の最後の特定領域の内容を変更内容表示領域７に表示する内容とする。
【００４４】
また、本実施の形態における表示操作装置では、ユーザの指示部６での指示によって、変更内容表示領域７に表示させる内容を切換ることができる。例えば、変更内容表示領域７に表示される特定領域を次の順のものに変更させたり、１つ前の順のものに変更させたりすることができる。変更内容表示領域７に表示される特定領域を順次進めてゆくことで、ユーザは例えば拡大されたテキストを順に読んでいくことができる。
【００４５】
本実施の形態においては、拡大された特定領域を順番に進めて行き、そのページの最後の特定領域が拡大表示されている状態で、さらに次の順の特定領域を表示させる指示がなされたのであれば、自動的に表示部５に表示されているドキュメントデータの表示単位（例えばページ）が進められ、次の表示単位のドキュメントデータが表示される。そして、その表示単位のドキュメントデータ中の最初の特定領域が拡大表示される。
【００４６】
また、拡大された特定領域を順番に戻って行き、そのページの最初の特定領域が拡大表示されている状態で、さらに１つ前の順の特定領域を表示させる指示がなされたのであれば、自動的に表示部５に表示されているドキュメントデータの表示単位（例えばページ）が戻され、１つ前の表示単位のドキュメントデータが表示される。そして、その表示単位のドキュメントデータ中の最後の特定領域が拡大表示される。
【００４７】
このように本実施の形態においては、特定領域の表示を進める（または戻す）ときに、必要であれば拡大されていないドキュメントデータ表示においても、自動的に表示単位（例えばページ）が進む、または戻るように装置が構成されている。
【００４８】
図７および図８は、変更内容表示領域７の表示内容を変更する処理を示すフローチャートである。
【００４９】
図を参照して、ステップＳ２０１で変更内容表示領域７の内容を変更する指示がなされたと判定されたのであれば、ステップＳ２０３でその指示が、特定領域を１つ進めるものであるかが判定される。ＹＥＳであれば、ステップＳ２０５において変更内容表示領域７に現在表示されている特定領域は、表示されているドキュメントデータの中の最後のものであるかを判定する。
【００５０】
ステップＳ２０５でＹＥＳであれば、ステップＳ２０７で、ドキュメントデータの表示単位（例えばページ）を１つ進めて表示し、その中の最初の特定領域を変更内容表示領域７に表示する。
【００５１】
また、ステップＳ２０５でＮＯであれば、ステップＳ２０９で、次の順位の特定領域を変更内容表示領域７に表示する。
【００５２】
また、ステップＳ２０３でＮＯであれば、ステップＳ２１１（図８）へ進み、指示は特定領域を１つ戻すためのものであるか判定する。ＹＥＳであれば、ステップＳ２１３において変更内容表示領域７に現在表示されている特定領域は、表示されているドキュメントデータの中の最初のものであるかを判定する。
【００５３】
ステップＳ２１３でＹＥＳであれば、ステップＳ２０７で、ドキュメントデータの表示単位（例えばページ）を１つ戻して表示し、その中の最後の特定領域を変更内容表示領域７に表示する。
【００５４】
また、ステップＳ２１３でＮＯであれば、ステップＳ２１７で、１つ前の順位の特定領域を変更内容表示領域７に表示する。
【００５５】
以上説明したように、本実施の形態によれば、変更内容表示領域を表示したままドキュメントデータを読み進む（または戻る）事が出来る。また特定領域を持たないページでは変更内容表示領域が閉じられるので、特定領域を１個も持たないドキュメントデータでも変更内容表示領域を表示せずに読み進む（または戻る）事が出来るという効果がある。
【００５６】
また、判定機構によりコンテンツを解読し、拡大表示に対応していないまたは１つ以上の拡大表示用の文字情報及び／または画像情報を保持していないと判断した場合、指示部により拡大機能を有効にするような入力がなされても、拡大機能を有効にしないでおくことができる。この結果、下位機種や旧バージョンの表示装置との互換性も確保できる。
【００５７】
なお、ドキュメントデータには、文字情報、画像情報などを含む電子書籍コンテンツを用いることができる。また、変更内容表示領域７においては、拡大に限らず、縮小などの表示内容の変更を行なうようにしてもよい。
【００５８】
また、別Ｗｉｎｄｏｗにおいて拡大表示が実施されている状態で、拡大されていない書籍コンテンツの表示内において、拡大されている個所が判別できるように枠で囲むなどの印をつけるようにしてもよい。
【００５９】
本実施の形態における表示操作装置においては、以下のような特徴を有している。
【００６０】
（１）  書籍コンテンツにおいて、判定機構により拡大表示を実行する場合、それまで表示していた書籍コンテンツとは別のＷｉｎｄｏｗに拡大表示を実施する。入力部により拡大表示する表示内容を次のものに変更することを続けると、拡大表示されていない書籍コンテンツの表示部分を表示し終わる状態になる。この状態で入力部によりさらに次の表示内容を拡大表示する旨の指示がなされると、拡大表示を継続したままで、別Ｗｉｎｄｏｗに拡大表示されていた表示内容が更新されると同時に、拡大表示されていない書籍コンテンツを次に表示する予定の表示内容に変更する。
【００６１】
（２）  別Ｗｉｎｄｏｗにおいて拡大表示が実施されている状態で、入力部により拡大表示する表示内容を前のものに変更することを続けると、拡大表示されていない書籍コンテンツの表示部分の先頭に来る状態となる。この状態で入力部によりさらに前の表示内容を拡大表示する旨の指示がなされると、拡大表示を継続したままで、別Ｗｉｎｄｏｗに拡大表示されていた表示内容が変更されると同時に、拡大表示されていない書籍コンテンツを前に表示されていた表示内容に戻るように変更する。
【００６２】
（３）  別Ｗｉｎｄｏｗにおいて拡大表示が実施されている状態で、入力部により次に表示される予定だった表示内容よりも後に表示される予定の表示内容に一気に表示内容を変更するように入力されたとすると、拡大表示を継続したままで、先の拡大表示されていない書籍コンテンツへの表示変更を行なうと同時に、その表示内容において最初に表示される予定の特定領域に拡大表示のＷｉｎｄｏｗの表示内容を変更する。
【００６３】
（４）  別Ｗｉｎｄｏｗにおいて拡大表示が実施されている状態で、入力部により前に表示されていた表示内容よりもさらに前に表示されていた表示内容に一気に表示内容を変更するように入力されたとすると、拡大表示を継続したままで、先の拡大表示されていない書籍コンテンツへの表示変更を行なうと同時に、その表示内容において最後に表示される予定の特定領域に拡大表示のＷｉｎｄｏｗの表示内容を変更する。
【００６４】
（５）  別Ｗｉｎｄｏｗにおいて拡大表示が実施されている状態で、拡大されていない書籍コンテンツの表示変更を行う際に、拡大表示に対応していないまたは１つ以上の拡大表示用の文字情報および／または画像情報を保持していない個所に移動した場合は、自動的に拡大表示を解除する。
【００６５】
（６）  拡大表示が解除された状態で、再度拡大表示に対応しているまたは１つ以上の拡大表示用の文字情報および／または画像情報を保持している個所に移動した場合には、自動的に別Ｗｉｎｄｏｗでの拡大表示を再表示させる。
【００６６】
［第２の実施の形態］
図９は、本発明の第２の実施の形態における文書表示システムの構成を示すブロック図である。
【００６７】
図を参照して、文書表示システムは、表示部１０５および入力部１０６に接続され、書籍コンテンツ１０１をダウンロードや外部媒体などからの入力などにより受取る。
【００６８】
文書表示システムは、書籍コンテンツ１０１の内容を判定する判定部１０２と、その判定結果と、入力部１０６への入力に従って、表示部１０５への表示処理を行なう処理部１０３とを備えている。
【００６９】
図１０は、図９の文書表示システムが行なう動作を示すフローチャートである。
【００７０】
図を参照して、ステップＳ３０１で新たな書籍コンテンツを開くかを判定し、ＹＥＳであれば、ステップＳ３０３で書籍コンテンツが存在するかを判定する。ＹＥＳであれば、書籍コンテンツの表示する部分に１つ以上の特定領域があるか否かを判定することで、拡大表示が可能であるかを判定する。ここでＹＥＳであれば、ステップＳ３０７で拡大表示を実行する。なお、この拡大表示の実行での処理は、図５のステップＳ００２での処理と同一である。
【００７１】
ステップＳ３０１でＮＯであれば、ステップＳ３０９で表示内容を更新するかを判定する。ＹＥＳであれば、更新された内容に１つ以上の特定領域があるか否かを判定することで、拡大表示が可能であるかを判定する。ここでＹＥＳであれば、ステップＳ３１３で拡大表示を実行する。なお、この拡大表示の実行での処理は、図５のステップＳ００７での処理と同一である。
【００７２】
［第３の実施の形態］
図１１は、本発明の第３の実施の形態におけるドキュメント表示システムの構成を示す図である。
【００７３】
図を参照して本システムはサーバ９と、通信回線１１と、端末１０とから構成される。電子化されたドキュメントデータは、サーバ９のように離れた記憶部において記憶され、ＬＡＮ回線やＭｏｄｅｍ回線などの通信回線１１を通じて端末１０上で使用される。
【００７４】
図１２は、図９のサーバ９または端末１０のハードウェア構成を示すブロック図である。
【００７５】
図を参照して、サーバ９または端末１０は、装置全体の制御を行なうＣＰＵ２０１と、ＲＯＭ２０３と、ＲＡＭ２０５と、外部記憶装置２０７と、ハードディスクドライブ２０９と、外部Ｉ／Ｆ２１１と、入力装置２１３と、ディスプレイ２１５とから構成される。
【００７６】
サーバ９または端末１０は、外部記憶装置２０７を介して、ＣＤ−ＲＯＭ（Ｃ）または、フレキシブルディスク（Ｆ）との間でプログラム、またはデータなどの入出力を行うことができる。このようなプログラムにより、上述のフローチャートで示される処理がコンピュータ（ＣＰＵ）により実行される。
【００７７】
［第４の実施の形態］
本実施の形態においては、上述のフローチャートで示される処理を実行するプログラムが携帯電話などの携帯端末のコンピュータ（ＣＰＵ）により実行される。
【００７８】
図１３は、そのような携帯端末の構成を示すブロック図である。
図を参照して、携帯端末は、装置全体の制御を行なうＣＰＵ３０１と、マイク３０３と、スピーカ３０５と、バイブレータ３０７と、入力部３０９と、表示部３１１と、通信部３１３と、記憶部３１５とを備える。
【００７９】
［その他］
なお、上述の実施の形態においてはソフトウエアによる処理を行うこととしたが、ハードウエア回路を用いて上述の処理を行うようにしてもよい。
【００８０】
また、上述の実施の形態におけるフローチャートの処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００８１】
また、本発明はネットワークに接続されたシステムにおいても、ネットワーク環境に接続されていないシステムにも適用することができる。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８３】
【発明の効果】
上述のようにして、本願発明においては操作性のよい表示操作装置などを提供することが可能である。
【図面の簡単な説明】
【図１】本発明の第１の実施の形態における文書の表示制御機能を備えた表示操作装置の構成を示すブロック図である。
【図２】１個以上の特定領域を表示部５に表示した状態を示す図である。
【図３】最初の特定領域を変更内容表示領域に表示した状態を示す図である。
【図４】最後の特定領域を変更内容表示領域に表示した状態を示す図である。
【図５】表示操作装置が行なう処理について説明するフローチャートである。
【図６】図５のステップＳ００７での処理を示す図である。
【図７】変更内容表示領域７の表示内容を変更する処理を示すフローチャートである。
【図８】図７に続くフローチャートである。
【図９】本発明の第２の実施の形態における文書表示システムの構成を示すブロック図である。
【図１０】図９の文書表示システムが行なう動作を示すフローチャートである。
【図１１】本発明の第３の実施の形態におけるドキュメント表示システムの構成を示す図である。
【図１２】図１１のサーバ９または端末１０のハードウェア構成を示すブロック図である。
【図１３】携帯端末の構成を示すブロック図である。
【符号の説明】
１  記憶部、２  判定部、３  内容変更処理部、４  表示画面制御部、５  表示部、６  指示部、７  変更内容表示領域、８  特定領域、９  サーバー、１０端末、１１  通信回線。
【図１】
2004362389.tif 000003
【図２】
2004362389.tif 000004
【図３】
2004362389.tif 000005
【図４】
2004362389.tif 000006
【図５】
2004362389.tif 000007
【図６】
2004362389.tif 000008
【図７】
2004362389.tif 000009
【図８】
2004362389.tif 000010
【図９】
2004362389.tif 000011
【図１０】
2004362389.tif 000012
【図１１】
2004362389.tif 000013
【図１２】
2004362389.tif 000014
【図１３】
2004362389.tif 000015